(57)【要約】      （修正有）【課題】設置位置の近傍に仮置きされたエレベータ用基礎台を、設置位置まで少人数で移動させることができるエレベータ用基礎台の据付装置を得る。【解決手段】てこ棒３２と、このてこ棒３２の先端部に取り付けられた爪３３と、てこ棒３２を支持する直交軸３７と、この直交軸３７の両端に取り付けられた一対の車輪３８とを備えたものである。そして、設置位置の近傍に仮置きされた基礎台の下に据付装置３１の爪３３を挿入し、更に、てこ棒３２を直交軸３７を支点として揺動させて基礎台１１をすくい上げた状態で車輪３８を転動させて設置位置へ基礎台１１を移動させるようにしたものである。【選択図】図２
2006151541.tif 000002
【特許請求の範囲】
【請求項１】
エレベータ用機器が据え付けられる基礎台を、この基礎台の設置位置の近傍の仮置きされた位置から、上記設置位置まで移動させるエレベータ用基礎台の据付装置において、てこ棒と、このてこ棒の先端部に取り付けられた爪と、上記てこ棒を支持する直交軸と、上記直交軸の両端に取り付けられた一対の車輪とを備え、上記爪を上記基礎台の下に挿入し、上記てこ棒を上記直交軸を支点として上下方向へ揺動させて上記基礎台をすくい上げた状態で上記車輪を転動させて上記基礎台を移動させるエレベータ用基礎台の据付装置。
【請求項２】
爪は、基礎台をすくい上げる受部と、この受部の後端部を起立させた係合部とからなり、てこ棒の先端部を曲げた起立部に、上記係合部を係合させて左右に自在に揺動するものとした請求項１に記載のエレベータ用基礎台の据付装置。
【請求項３】
てこ棒は、直交軸の上位で上記直交軸と直交するものとした請求項１に記載のエレベータ用基礎台の据付装置。
【請求項４】
てこ棒は、直交軸の下位で上記直交軸と直交するものとした請求項１に記載のエレベータ用基礎台の据付装置。
【請求項５】
てこ棒は、直交軸が貫通する二軸直交軸受に遊挿され、締結具によって緊締されるものとし、上記締結具を弛緩させることによって上記直交位置を変化させることができるものとした請求項１に記載のエレベータ用基礎台の据付装置。
【請求項６】
直交軸の両端に取り付けられた車輪は、ステアリングシステムを介しててこ棒を支持し、上記てこ棒を左右へ揺動させると、追随して振れて舵取り動作をするものとした請求項１に記載のエレベータ用基礎台の据付装置。
【発明の詳細な説明】
【技術分野】
【０００１】
この発明は、エレベータ用機器が据え付けられる基礎台を、設置位置の近傍に搬入されて仮置きされた位置から、上記設置位置へ移動させるエレベータ用基礎台の据付装置に係る。
【背景技術】
【０００２】
図６は、機械室が設けられないエレベータのピット３の一例を示す斜視図である。
ピット３は、最下階２から昇降路底面４に至る昇降路１部分で構成される。昇降路底面４には、基礎台であるかご緩衝器台１１が敷設され、かご緩衝器１２が立設される。かご緩衝器１２の両側には、かごガイドレール１３が立設される。
また、基礎台である錘緩衝器台１４は、かご緩衝器台１１に直交する方向へ向けて敷設され、錘緩衝器１５が立設される。錘緩衝器１５の両側には、錘ガイドレール１６が立設される。
更にまた、昇降路底面４には、基礎台である機械台１７も敷設され、巻上機１８が設置される。巻上機１８には、主索１９が巻き掛けられており、かご及び釣合錘（いずれも図示しない。）に連結されている。
かご緩衝器台１１及び錘緩衝器台１４は、予め定められた設置位置に固定されなければならない。このため、昇降路底面４には、墨出しされた墨５が奥行方向へ向けて表示されている。また、墨５と直交する方向へ向けて墨６も表示されている。かご緩衝器台１１及び錘緩衝器台１４は、上記墨５、６を基準にして位置決めされて固定される。
【０００３】
ところで、かご緩衝器台１１、錘緩衝器台１４及び機械台１７は、昇降路１の外から搬入されて、上記各基礎台１１、１４、１７の設置位置の近傍に一旦仮置きされる。
図７は、従来のエレベータ用基礎台の据付装置を使用して、かご緩衝器台１１を、仮置きされた位置から設置位置へ移動させる作業の概要を示すピット３の斜視図である。
即ち、仮置きされたかご緩衝器台１１と昇降路底面４の間にバール２１の一端部を挿入して他端部を図示矢印ｄ方向へ押し下げ、かご緩衝器台１１をすくい上げる。すくい上げた状態で他のバール２２の下端を昇降路底面４に当てて上端部を図示矢印ｕ方向へ移動させる。かご緩衝器台１１はバール２２に押されて図示矢印ｍ方向、即ち、墨５の方向へ微動する。
上記作業を繰り返して仮置きされた位置から設置位置まで、かご緩衝器台１１を移動させる。錘緩衝器台１４及び機械台１７も同様である。
【０００４】
図７のバール２１、２２を使用した上記位置決め作業は、従来から広く行われているものである。エレベータの据付現場では、上記基礎台１１、１４、１７に限らず、重量物の搬送作業は不可避である。
例えば、エレベータの案内レールを載置して移動させる台車として、下端を台車に載置し、上記案内レールの上端が吊り上げられて立ち上がるのに合わせて上記台車を昇降路側へ移動させて垂下させるようにしたものがある。これにより、吊り上げに伴う案内レールの挙動に合わせて台車を移動させる、という簡単な操作によって案内レールを移動させることができるので、作業者の負担を軽減させることができる。また、案内レールを損傷させることもない、というものである（例えば、特許文献１参照）。
【０００５】
【特許文献１】特許第２８１４９１２号公報（段落番号１２〜１６、図１）
【発明の開示】
【発明が解決しようとする課題】
【０００６】
従来のエレベータ用基礎台の据付装置は、上記のとおり、バール２１及びバール２２が用いられていた。必要によってはハンマーで、更にバールで加勢していた。このため、大勢の作業者を必要とする、という問題があった。
特に、ピット３は狭いので、作業者の人数も限られる。このため、作業性が悪い、という問題もあった。
なお、上記特許文献１に記載された台車は、エレベータの案内レールを移動させるものである。このため、上記台車にエレベータ用の基礎台を載置するのは容易ではなく、エレベータ用基礎台の据付装置としては不向きであった。
【０００７】
この発明は、上記問題点を解決するためになされたものであり、設置位置の近傍に仮置きされたエレベータ用基礎台を、上記設置位置まで少人数で移動させることができるエレベータ用基礎台の据付装置を得ることを目的とする。
【課題を解決するための手段】
【０００８】
この発明に係るエレベータ用基礎台の据付装置は、てこ棒と、このてこ棒の先端部に取り付けられた爪と、てこ棒を支持する直交軸と、この直交軸の両端に取り付けられた一対の車輪とを備えたものである。そして、設置位置の近傍に仮置きされた基礎台の下に据付装置の爪を挿入し、更に、てこ棒を直交軸を支点として上下方向へ揺動させて基礎台をすくい上げた状態で車輪を転動させて設置位置へ基礎台を移動させるようにしたものである。
【発明の効果】
【０００９】
この発明に係るエレベータ用基礎台の据付装置は、てこ棒で基礎台をすくい上げると共に、すくい上げた状態でてこ棒を押し引きして車輪を転動させて設置位置へ基礎台を移動させるようにしたので、基礎台のすくい上げと移動を同一人で行うことができる。このため、基礎台を設置位置まで少人数で移動させることができる、という効果を奏する。
【発明を実施するための最良の形態】
【００１０】
以下、図面を参照して、この発明の実施の形態について説明する。なお、各図中、同一又は相当する部分には同一符号を付し、説明の重複を省いた。
実施の形態１．
図１から図４は、この発明の実施の形態１を示す。
図１は、基礎台であるかご緩衝器台１１を、仮置きされた位置から設置位置へ移動させる作業の概要を示すピット３の斜視図である。ピット３は、最下階２から昇降路底面４に至る昇降路１部分で構成された空間であって、昇降路底面４には、かご緩衝器台１１の設置位置が予め墨出しされて墨５及び６によって表示されている。かご緩衝器台１１は、仮置きされたもので、設置位置まで移動させる必要がある。そこで、据付装置３１をかご緩衝器台１１の切欠部１１ａに係合させて移動させる。
【００１１】
ここで、据付装置３１の詳細を図２及び図３に従って説明する。図２は、据付装置３１の斜視図、図３は、側断面図である。据付装置３１は、てこ棒３２と、このてこ棒３２の先端部に取り付けられた爪３３と、二軸直交軸受３５を介して、てこ棒３２を上位で支持する直交軸３７と、この直交軸３７の両端に取り付けられた一対の車輪３８とを備えている。てこ棒３２の後端部には、ペダル３４が固着されている。従って、てこ棒３２は、直交軸３７を支点とする「てこ」として機能する。
爪３３は、かご緩衝器台１１をすくい上げる受部３３ａと、この受部３３ａの後端部を起立させた中空の係合部３３ｂとからなっている。てこ棒３２は、先端部がＬ字状に曲げられて起立部３２ａを構成している。上記起立部３２ａを係合部３３ｂに差し込むことによって、爪３３をてこ棒３２に取り付ける。爪３３は、図２に示したとおり、取り付けられた状態で起立部３２ａを軸として左右に揺動することができる。
また、二軸直交軸受３５は、ボルト３６によって、てこ棒３２に固定されている。従って、ボルト３６を弛緩することによって二軸直交軸受３５を移動させ、支点の位置を変更することができる。
【００１２】
仮置きされたかご緩衝器台１１を移動させるには、爪３３をかご緩衝器台１１の切欠部１１ａに挿入し、てこ棒３２を直交軸３７を支点として押し下げ、かご緩衝器台１１をすくい上げる。この状態でてこ棒３２を押し引きすることによって車輪３８を転動させ、かご緩衝器台１１を墨５及び６の位置まで移動させる。移動方向を変更する場合は、爪３３を左右に揺動させて、てこ棒３２の長手方向に対して傾斜させた状態で、てこ棒３２を押し下げ、かご緩衝器台１１をすくい上げて移動させる。
【００１３】
上記実施の形態１によれば、設置位置の近傍に仮置きされたかご緩衝器台１１の下に爪３３を挿入してすくい上げ、この状態でてこ棒３２を押し引きして設置位置へかご緩衝器台１１を移動させるようにしたので、かご緩衝器台１１は車輪３８の転動によって容易に移動させることができる。このため、少ない作業者でかご緩衝器台１１を設置位置まで移動させることができる。
また、図４に示したとおり、作業者３９は、ペダル３４を足や膝で踏み下ろしてかご緩衝器台１１をすくい上げ、この状態で、両手で加勢してかご緩衝器台１１を移動させることもできる。このため、一人作業によって、かご緩衝器台１１を微動させたり、また、下ろすときにかご緩衝器台１１が位置ずれを起こすことのないようにすることもできる。
更に、爪３３は、係合した状態で起立部３２ａを軸として左右に揺動するので、受部３３ａの全面をかご緩衝器台１１の下面に当接させた状態で、てこ棒３２をかご緩衝器台１１の長手方向に対して傾斜した方向へ移動させることもでき、移動方向の多様化が可能となった。
更にまた、てこ棒３２は、直交軸３７の上位で直交軸３７と直交するので、上下方向に十分な揺動範囲を有し、かご緩衝器台１１を必要な高さまですくい上げることができる。
更にまた、てこ棒３２は、直交軸３７が貫通する二軸直交軸受３５に遊挿されてボルト３６によって緊締され、弛緩させることによって直交位置、即ち、支点を変化させることができるので、てこ棒３２を押し下げる力を調節することができる。
【００１４】
実施の形態２．
図５は、この発明の実施の形態２を示す据付装置の側断面図である。上記実施の形態１では、てこ棒３２は、直交軸３７の上位で直交するようにしたが、この実施の形態２は、てこ棒３２は、直交軸４９の下位で直交すると共に、ステアリングシステムによっててこ棒３２を支持するようにした。
即ち、てこ棒３２には、ボルト４７によって緊締された下部軸受４６が取り付けられている。この下部軸受４６には、ボール４８を中心に介在させて自在に回動する上部軸受４５が立設されている。更に、上部軸受４５には、上記回動の中心よりも起立部３２ａ側へ偏った部位を直交軸４９が横貫している。この直交軸４９の両端部には、実施の形態１における車輪３８よりも大きい直径の車輪５０が取り付けられている。
従って、直交軸４９とボール４８の中心を通る支持軸Ｃｃは、車輪５０の縦中心線Ｖｃに対して角度αだけ傾斜しており、ステアリングシステムを構成している。
【００１５】
上記実施の形態２によっても、かご緩衝器台１１を容易に移動させることができるので、少ない作業者でかご緩衝器台１１を設置することができる。
特に、てこ棒３２を、直交軸４９の下位で直交させて、車輪５０の直径を大きくしたので、転がり抵抗が小さくなり、かご緩衝器台１１を更に容易に移動させることができる。
また、直交軸４９の両端に取り付けられた車輪５０は、ステアリングシステムを介しててこ棒３２を支持したので、てこ棒３２を水平方向へ揺動させると、車輪５０は追随して左右に振れて舵取り動作をする。このため、かご緩衝器台１１をすくい上げた状態で、てこ棒３２の向きを変えて押し引きすることができ、かご緩衝器台１１を目的の設置位置へ容易に移動させることができる。
なお、上記実施の形態１及び２では、いずれもかご緩衝器台１１を移動対象としたが、基礎台はこれに限られるものではなく、図６に示す錘緩衝器台１４及び機械台１７であってもよい。
【図面の簡単な説明】
【００１６】
【図１】この発明の実施の形態１におけるエレベータ用基礎台の据付装置による作業の概要を示すピットの斜視図。
【図２】この発明の実施の形態１におけるエレベータ用基礎台の据付装置の斜視図。
【図３】この発明の実施の形態１におけるエレベータ用基礎台の据付装置の側断面図。
【図４】この発明の実施の形態１における据付装置を用いた作業の概要を示す側面図。
【図５】この発明の実施の形態２におけるエレベータ用基礎台の据付装置の側断面図。
【図６】機械室が設けられないエレベータのピットの一例を示す斜視図。
【図７】従来のエレベータ用基礎台の据付装置を用いた作業の概要を示すピットの斜視図。
【符号の説明】
【００１７】
１  昇降路、  ２  最下階、  ３  ピット、  ４  昇降路底面、  ５  墨、  ６  墨、  １１  かご緩衝器台、  １１ａ  切欠部  １２  かご緩衝器、  １３  かごガイドレール、  １４  錘緩衝器台、  １５  錘緩衝器、  １６  錘ガイドレール、  １７  機械台、  １８  巻上機、  １９  主索、  ２１  バール、  ２２  バール、  ３１  据付装置、  ３２  てこ棒、  ３２ａ  起立部、  ３３  爪、  ３３ａ  受部、  ３３ｂ  係合部、  ３４  ペダル、  ３５  二軸直交軸受、  ３６  ボルト、  ３７  直交軸、  ３８  車輪、  ３９  作業者、  ４１  据付装置、  ４５  上部軸受、  ４６  下部軸受、  ４７  ボルト、  ４８  ボール、  ４９  直交軸、  ５０  車輪。
【図１】
2006151541.tif 000003
【図２】
2006151541.tif 000004
【図３】
2006151541.tif 000005
【図４】
2006151541.tif 000006
【図５】
2006151541.tif 000007
【図６】
2006151541.tif 000008
【図７】
2006151541.tif 000009